(57)【要約】【課題】  手洗器からの配管施工スペースの上端を低くすることによって、その上端を使用者の肘置きとして利用することが可能なトイレユニットを提供する。【解決手段】  トイレルーム壁面に固定された手洗器からの排水を流す横引き排水管を、前記手洗器が固定されているトイレルーム壁面に沿って固定すると共に、この横引き排水管の前方空間に紙巻器を設置している。従って、横引き排水管の設置空間の上面を低い位置とすることができ、その上面を肘置きとして利用可能となる。【選択図】  図１
2005105576.tif 000002
【特許請求の範囲】
【請求項１】
トイレルーム壁面に固定された手洗器からの排水を流す横引き排水管を、前記手洗器が固定されているトイレルーム壁面に沿って固定し、その前面を配管カバーで隠蔽すると共に、この横引き排水管の前方空間に紙巻器を設置し、前記横引き排水管及び紙巻器の上方には、カウンターが連設されていることを特徴とするトイレユニット。
【請求項２】
前記手洗器下部にはトラップ部が設置されており、このトラップ部は、貯水容器と、この貯水容器の上部に形成され、前記手洗器の排水口に一端が接続された入水管の他端を回動可能に接続した入水部と、前記貯水容器の上部に回動可能に前記横引き排水管を接続した出水部と、から構成されていることを特徴とする請求項１記載のトイレユニット。
【請求項３】
前記出水部は、垂直方向から水平方向へ屈曲した略Ｌ字状のエルボを備えていると共に、このエルボ若しくは前記横引き排水管のエルボとの接続部が前記水平部において屈曲していることを特徴とする、請求項２記載のトイレユニット。
【請求項４】
前記トイレルーム壁面に配管支持材を固定し、この配管支持材は下り傾斜に前記横引き排水管を固定してなる請求項１〜３何れか一項記載のトイレユニット。
【請求項５】
前記配管支持材には、前記手洗器に設けられた吐水具への給水を行う給水管が前記横引き排水管と並設されていることを特徴とする、請求項４記載のトイレユニット。
【請求項６】
トイレルーム壁面に沿ってカウンターが設けられ、この下部にカウンターブラケットが設けられ、このカウンターブラケットに前記配管支持材が固定されていることを特徴とする、請求項４又は５記載のトイレユニット。
【請求項７】
前記手洗器に設けられた吐水具への給水経路には定流量手段が設けられていると共に、吐水具は吐水に対して気泡を混入する泡沫手段が設けられていることを特徴とする、請求項１〜６何れか一項記載のトイレユニット。
【請求項８】
前記横引き排水管は、トイレルームに設置された水洗便器の排水経路に合流してなる、請求項１〜７何れか一項記載のトイレユニット。
【発明の詳細な説明】
【技術分野】
【０００１】
本発明は、トイレルームの壁面に手洗器を固定するのに用いるトイレユニットに係り、特に、手洗器からの排水を壁面に沿って横方向に行うのに好適なトイレユニットに関する発明である。 
【背景技術】
【０００２】
従来のトイレルームの壁面に手洗器を設置する場合、大便器への給水経路から分岐して給水を行い、手洗器からの排水を大便器の排水経路へ合流することが行われている。（例えば、特許文献１，２参照。）。
【０００３】
これらの手洗器の設置においては、手洗器のへの給水配管及び排水配管をトイレルームの壁面に沿って後方へ引き回し、これらの配管をカウンター下方に固定すると共に、遮蔽部材にて隠蔽することによって意匠性を向上させている。
【特許文献１】特開２０００−１６０６２６号公報（第２−５頁、第３図）
【特許文献２】特開２００３−２３０４４１号公報（第２−４頁、第１，２図）
【発明の開示】
【発明が解決しようとする課題】
【０００４】
しかしながら、特許文献１においては、壁面に固定された手洗器の横に紙巻器が設置され、その紙巻器の下方空間に配管が施工されてなるものであり、また、特許文献２においては、壁面に固定された手洗器の下方に配管が施工され、その配管施工空間の下に紙巻器が設置されている。
【０００５】
このように、従来のトイレルームにおいては、その壁面における配管固定空間とは別に紙巻器を設置するためのスペースが必要であり、その配管固定空間と紙巻器設置空間との合計スペースが大便器に座った使用者の足元を圧迫しないような高さ位置に施工する都合上、この合計スペースの上端は高くならざるを得ないため、その上端に設けられたカウンターの位置も高くなってしまい、大便器に座った使用者の肩辺りの高さとなり、そのカウンターに肘を置くのは無理な姿勢を強いることとなり、結局、そのカウンター上面は物置としての機能を有するのみであった。
【０００６】
本発明は、上記問題を解決するためになされたもので、本発明の課題は、手洗器からの配管施工スペースの上端を低くして、その上端を肘置きとしても、使用者の足元を圧迫することの無いトイレユニットを提供することを目的とする。
【課題を解決するための手段】
【０００７】
上記目的を達成するために請求項１記載の発明によれば、トイレルーム壁面に固定された手洗器からの排水を流す横引き排水管を、前記手洗器が固定されているトイレルーム壁面に沿って固定し、その前面を配管カバーで隠蔽すると共に、この横引き排水管の前方空間に紙巻器を設置し、前記横引き排水管及び紙巻器の上方には、カウンターが連設されていることを特徴とする。
【０００８】
従って、水洗便器の使用者の足元スペースを圧迫することなく、また、水洗便器に座った使用者が使いやすい位置に紙巻器を配置することができ、しかも、横引き排水管の設置空間の上面を低い位置とすることができ、その上方に配置したカウンターを肘置きとして利用可能となる。なお、横引き排水管を目立たなくすることができ、意匠上も好ましい。
【０００９】
また、手洗器下部にはトラップ部が設置されており、このトラップ部は、貯水容器と、この貯水容器の上部に形成され、前記手洗器の排水口に一端が接続された入水管の他端を回動可能に接続した入水部と、前記貯水容器の上部に回動可能に前記横引き排水管を接続した出水部と、から構成されているものとすれば、出水部が貯水容器上面で接続されているため、この出水部と横引き排水管との接続位置は手洗器下の高い位置に設けることが出来る。そのため、横引き排水管の固定位置も高くなり、紙巻器の設置位置に合わせ易くなる。また、入水部と出水部とが貯水容器に対して入水管と横引き配水管とを回動可能であるため、手洗器の排水口の位置に係わらず出水部のトイレルーム壁面からの距離を調整することができ、出水部と横引き排水管との接続が容易となる。
【００１０】
また、前記出水部は、垂直方向から水平方向へ屈曲した略Ｌ字状のエルボを備えていると共に、このエルボ若しくは前記横引き排水管のエルボとの接続部が前記水平部において屈曲しているものとすれば、排水が溜り易い屈曲自在なフレキシブル管を用いなくても、出水部の近傍にて横引き排水管を壁面に沿わせて配置することができ、手洗器下の空間を有効に利用することができる。
【００１１】
また、前記トイレルーム壁面に配管支持材を固定し、この配管支持材は下り傾斜に前記横引き排水管を固定してなるものとすれば、配管支持材により排水管の排水勾配を設けることができ、手洗器からの排水が排水管にて滞留して詰まることが防止できる。
【００１２】
前記配管支持材には、前記手洗器に設けられた吐水具への給水を行う給水管が前記横引き排水管と並設されているものとすれば、給水管も紙巻器後部に配置することにより、トイレルーム内のスペースをより有効に利用できる。
【００１３】
また、トイレルーム壁面に沿ってカウンターが設けられ、この下部にカウンターブラケットが設けられ、このカウンターブラケットに前記配管支持材が固定されているものとすれば、カウンター直下に横引き排水管を固定することができ、目立たなくすることができる。
【００１４】
また、前記手洗器に設けられた吐水具への給水経路には定流量手段が設けられていると共に、吐水具は吐水に対して気泡を混入する泡沫手段が設けられているものとすれば、給水量を減らすことにより排水量を減らすことができ、従って、横引き排水管の口径を小さくでき、横引き排水管の前方空間に設けた紙巻器の壁からの突出量を抑えることができる。
【００１５】
また、前記横引き排水管は、トイレルームに設置された水洗便器の排水経路に合流してなるものとすれば、横引き排水管の流出のために下水管から工事をする必要が無く、手洗器の設置が容易となる。
【発明の効果】
【００１６】
手洗器からの配管施工スペースの上端を低くして、その上端を肘置きとしても、使用者の足元を圧迫することの無いトイレユニットを提供することができる。
【発明を実施するための最良の形態】
【００１７】
本発明の実施形態について図面に基いて説明する。
図１は本発明の実施形態に係わる手洗器を壁面に固定したトイレユニットの正面図であり、図２はその上面図である。
【００１８】
この図１に示すように、トイレルームの壁面Ｗには手洗器１０が固定されている。この手洗器１０は、壁面に沿ったバックガード１１とボウル１２とを備えており、これらは陶器製にて一体に形成されている。そして、ボウル１２の上方には吐水具１３が設けられており、吐水レバー１４を操作することによって吐水のオンオフを切替え可能である。
【００１９】
この手洗器１０の下方から横方向（図１，２における右方向）には、カウンター２０が固定されている。この手洗器１０の下方であってカウンター２０の更に下方には断面コ字状のトラップカバー２５が設けられており、このトラップカバー２５の開放端を壁面Ｗに当接させて設置することによって、トラップ収納空間Ｔを形成している。なお、図１及び図２においては、トラップカバー２５の前側を省略して示している。
【００２０】
トラップ収納空間Ｔには、手洗器１０からの排水を受けるトラップ３０が収納されている。トラップ３０は、コンテナ３１とカバー３２とから排水を貯める貯水容器を構成している。そして、カバー３２と一体に形成されており、一端が上方に突出し他端がコンテナ３１内に突出した入水部３３には、手洗器１０のボウル１２の底部に開けられた排水口から延びる入水管１５が接続されており、手洗器１０からの排水をトラップ３０へ流入するように構成されている。
【００２１】
一方、トラップ３０のカバー３２には、上方に延びる出水部３４が突出形成されており、この出水部３４にはＬ字状のエルボ３５が嵌め込まれており、出水部３４からの排水を横引き排水管４０へ流すように構成されている。
【００２２】
ここで、入水管１５と入水部３３とは摺動回転可能に接続されており、また、出水部３４とエルボ３５も同様に摺動回転可能である。従って、図２に示すように、トラップ３０を入水部３３を軸として回転させることによって出水部３４を壁面Ｗに近づけて配置可能である。
【００２３】
なお、入水部３３の構成としては、入水管１５がカバー３２を貫通してコンテナ３１内に突出するものであってもよく、出水部の構成としては、エルボ３５がカバー３２を貫通して一部がコンテナ３１内に突出するように構成されていてもよく、その場合は、入水管１５とカバー３２、及び、エルボ３５とカバー３２とが摺動回転可能に構成されるものである。
【００２４】
横引き排水管４０は壁面Ｗに沿って配置されているが、エルボ３５との接続部近傍にては前方に屈曲した接続部４１が形成されている。従って、エルボ３５の出水部３４からの取り出し方向を変更することによって、横引き排水管４０の接続部４１との傾斜を合わせ、接続を直線上で行うことができる。そのため、その接続を確実なものとし漏水の発生を防ぐことができる。なお、エルボ３５のＬ字状に屈曲した後の出水流路は後述する横引き排水管４０の排水勾配と合わせて僅かに斜め下方に向けて形成されている。
【００２５】
なお、横引き排水管４０に屈曲した接続部４１を設けることに代えて、エルボ３５のＬ字に屈曲した後の出水流路を伸延し、その伸延した部分を壁面Ｗに沿うように屈曲させることもできる。その場合は、排水管４０としては、直線状のものを用いることができ、エルボ３５との接続部で切断をすることによって長さ調整をすることが容易となる。
【００２６】
また、トラップ３０はコンテナ３１にＵトラップのような管トラップと比べて多くの水を貯めておくことのできる隔壁トラップ（ボトルトラップ）であり、横引き排水管４０の下流側にて一時的に負圧が発生したとしても、コンテナ３１に貯められた排水全部が流出することはなく、封水切れを生じにくいものである。
【００２７】
次に、横引き排水管４０の固定構造について説明する。図１に示すように横引き排水管４０は、カウンター２０の下方であって、トラップ収容空間Ｔの側方に配置されている。なお、横引き排水管４０の下方には手洗器１０に設けられた吐水具１３への給水を行う給水管４５が壁面に沿って並行して配置されている。具体的には、カウンター２０の下方にはカウンターブラケット５０が固定されており、このカウンターブラケット５０の前面に固定された配管支持部材６０に、上方に耐薬品性ＡＢＳ樹脂からなる横引き排水管４０が固定され、その下方に給水管４５が固定されている。
【００２８】
図３は横引き排水管４０と給水管４５と水洗便器７０との接続状態を示す図である。この図３に示すように、水洗便器７０の上部には便器洗浄ユニットを内蔵すると共に人体局部を洗浄する温水洗浄便座７１が固定されている。そして、水洗便器７０の後部には、上端を水洗便器７０の排水経路（トラップ）に接続し、下端をトイレルームの床面に開口した下水道と連通した排水配管に接続した樹脂製の排水ソケット７２が設けられている。この排水ソケット７３の後側面には排水ソケット７２の内部流路と連通した排水管合流部７３が形成されており、この排水管合流部７３に横引き排水管４０を接続することによって、トイレルームに下水道と連通した排水配管を新規に設ける工事をする必要なく、手洗器１０からの排水を下水道へ流し込むことが可能となっている。
【００２９】
また、トイレルームの後部側壁には水洗便器７０へ便器洗浄のための水道水を供給するための給水配管７５が設けられている。この給水配管７５はトイレルームの壁面に固定された止水栓７６から温水洗浄便座７６へ水道水を給水するが、この給水配管７５の途中に出水口を水洗便器７０側とは別にもう一個所給水口を設けた分岐金具７７が設けられており、この分岐金具７７に給水管４５の一端が接続されており、手洗器１０の吐水具から水道水を吐水することが可能となっている。
【００３０】
図４は図１のiv−iv線に基く断面図であり、その断面において紙巻器の取付け状態を示す図である。この図４に示すように、カウンター２０の下方にはカウンターブラケット５０が設けられている。このカウンターブラケット５０はカウンター２０の下面に対してビス穴５２に挿入されたビス、及び、トイレルームの壁面Ｗに対してビス穴５３に挿入したビスによって固定されている。
【００３１】
このカウンターブラケット５０に対して配管支持材６０が固定されている。この配管支持材６０はビス穴６１に挿入されたビスによりカウンターブラケット５０に固定されているが、その際、図１に示すように水洗便器７０側に向けて下り傾斜となるように固定されている。具体的には１／５０の下り傾斜が設けられており、横引き排水管４０中に排水が滞留することを防いでいる。
【００３２】
なお、配管支持材６０には４条の配管支持リブ６２ａ〜６２ｄが設けられており、上二つの配管支持リブ６２ａ，６２ｂにて横引き排水配管４０を挟持固定しており、下二つの配管支持リブ６２ｃ，６２ｄにて給水管４５を挟持固定している。
【００３３】
そして、横引き排水管４０及び給水管４５の前面（図４における右側）は配管カバー５５によって塞がれる。この配管カバー５５はカウンターブラケット５０に嵌め込み固定されている。なお、図１においては、この配管カバー５５は省略して示している。
【００３４】
この配管カバー５５の更に前方には紙巻器８０が設置されている。紙巻器８０はカウンターブラケット５０に固定されたコ字状のペーパーホルダー８１と、このペーパーホルダー８１の対向した側壁に回動可能に取り付けられたペーパーカバー８２と、ペーパーホルダー８１の両側壁の下端に、傾倒自在にペーパー支持脚を設ける支持脚取付部８３とから構成されており、この対向した支持脚取付部８３の間にトイレットペーパー８４を固定して成る。
【００３５】
このように、紙巻器８０が配管支持材６０の前方に固定されており、壁面Ｗに沿って横引き排水管４０や給水管４５が固定されているものでありながら、カウンター２０の床面からの高さを低く抑えることができる。従って、カウンター２０の状面を水洗便器７０に座った使用者が肘おきとして利用することが可能となる。また、紙巻器８０の床面からの高さ位置も低く成りすぎることがなく、水洗便器７０に座った使用者の膝元を圧迫することもなく、紙巻器８０へも手を伸ばしやすく使いやすいものである。
【００３６】
図５は給水管の始端である分岐金具、終端である吐水具の断面図である。この図５に示すように、分岐金具７７の側方にはエルボ７７ａが設けられており、このエルボ７７ａに対して給水管４５の一端がカプラ４５ａによって接続されている。エルボ７７ａの内部には定流量弁７７ｂ、及び、逆止弁７ｃとが内蔵されている。また、吐水具１３には泡沫手段１３ａが取り付けられており、この泡沫手段１３ａは、内蔵された減圧板１３ｂにバルブ１４ａから流れ出た吐水を衝突させ、そこに内筒１３ｃの周囲から吸い込んだ空気を巻き込むことによって、吐水具１３から吐水する手洗水に対して気泡を混入させることができる。具体的には、定流量弁１３ａにて吐水流量が２．５Ｌとなるように設定されており、また、泡沫手段１３ａによって体積比として１００％以上の空気を吐水に対して混入する。
【００３７】
そのため、実際の吐水具１３からの吐水は５Ｌ程度となり、手洗いには支障のない量感を得ることが出来る。一方、吐水に混入された気泡は手又はボウル１２等に衝突することにより吐水から分離され、手洗器１０からの排水には殆ど含まれることがない。従って、横引き排水管４０や給水管４５の管径としては内径が２２ｍｍ程度の比較的細いものを用いることができる。
【図面の簡単な説明】
【００３８】
【図１】本発明の実施形態に係わる手洗器を壁面に固定したトイレユニットの正面図。
【図２】図１のトイレユニットの底面図である。
【図３】横引き排水管、給水管と水洗便器との接続状態を示す図。
【図４】図１のiv−iv線に基く断面図。
【図５】給水管の始端である分岐金具、終端である吐水具の断面図。
【符号の説明】
【００３９】
Ｗ…壁面
Ｔ…トラップ収納空間
１０…手洗器
１１…バックガード
１２…ボウル
１３…吐水具
１３ａ…泡沫手段
１３ｂ…減圧板
１３ｃ…内筒
１４…吐水レバー
１５…入水管
２５…トラップカバー
２７…前面板
３０…トラップ部
３１…コンテナ
３２…カバー
３３…入水部
３４…出水部
３５…エルボ
４０…横引き排水管
４１…接続部
４５…給水管
４５ａ…カプラ
５０…カウンターブラケット
５２…ビス穴
５３…ビス穴
５５…配管カバー
６０…配管支持材
６１…ビス穴
６２ａ，６２ｂ，６２ｃ，６２ｄ…配管支持リブ
７０…水洗便器
７１…温水洗浄便座
７２…排水ソケット
７３…排水管合流部
７５…給水配管
７６…止水栓
７７…分岐金具
７７ａ…エルボ
７７ｂ…定流量弁
７７ｃ…逆止弁
８０…紙巻器
８１…ペーパーホルダー
８２…ペーパーカバー
８３…支持脚取付部
８４…トイレットペーパー
【図１】
2005105576.tif 000003
【図２】
2005105576.tif 000004
【図３】
2005105576.tif 000005
【図４】
2005105576.tif 000006
【図５】
2005105576.tif 000007